(57)【特許請求の範囲】
【請求項１】
水洗トイレからの排水を浄化する排水浄化槽と、非常時に水洗トイレの排水を非常用排水貯留槽に導出する排水導出手段と、この排水導出手段を介して導出された排水を貯留する非常用排水貯留槽と、この非常用排水貯留槽に貯留された排水を、上記排水浄化槽の処理能力に対応した流量で供給する排水供給手段とを備え、上記非常用排水貯留槽の上壁部に、マンホールと非常用トイレの設置部とを設け、この非常用トイレの排水を上記マンホールから非常用排水貯留槽に導入するように構成したことを特徴とする非常用トイレ施設。
【請求項２】
請求項１記載の非常用トイレ施設において、非常用発電機と、この非常用発電機を駆動するエンジンと、このエンジンの冷却水を供給するラジエータとを備え、上記エンジンにより非常用発電機を駆動することにより得られた電力をトイレ用の電気機器に供給するとともに、上記ラジエータによって回収された熱エネルギーを、トイレ用の暖房機器に供給するように構成したことを特徴とする非常用トイレ施設。
【請求項３】
請求項１に記載の非常用トイレ施設において、複数のプレストレスコンクリート部材を施工現場において組み立てることにより底壁部と側壁部と上壁部とを有する排水浄化槽、浄化水貯留槽または非常用排水貯留槽を構成したことを特徴とする非常用トイレ施設。
【請求項４】
請求項３に記載の非常用トイレ施設において、底壁とその左右に立設された起立壁とを有する断面コ字状のプレストレスコンクリート部材の起立壁を相対向させるように複数のプレストレスコンクリート部材を所定間隔おいて並列に設置するとともに、相隣接するプレストレスコンクリート部材の間の底面部に、底壁部となるコンクリート材を打設することにより相隣接するプレストレスコンクリート部材を互いに連結してなる排水浄化槽、浄化水貯留槽または非常用排水貯留槽を構成したことを特徴とする非常用トイレ施設。
【発明の詳細な説明】
【０００１】
【発明の属する技術分野】
本発明は、公園、緑地または学校等からなる緊急避難所等に設置されて地震または大火の発生時等に使用される非常用トイレ施設および非常用トイレ施設の貯留槽に関するものである。
【０００２】
【従来の技術】
従来、地震または大火等が発生した場合に、公園または緑地等を緊急避難所として利用し、被災者用の仮設住宅等が完成するまで、多数の被災者を上記緊急避難所に収容する防災対策が考えられている。この場合、上記公園等に避難した被災者は、上記緊急避難所に設置された公衆トイレ等を使用することになる。
【０００３】
【発明が解決しようとする課題】
上記緊急避難所となる公園等に設置された公衆トイレは、その数が限られているため、多数の被災者の利用に供した場合に、混乱を生じるとともに、非衛生になり易い等の問題がある。例えば、地震または大火の発生時等には、電気、ガスおよび水道からなるライフラインが遮断される可能性が高く、多数の被災者が上記公衆トイレを使用すると、水洗トイレ用の給水タンクが直ぐに空になって、上記公衆トイレが使用不能になるという問題がある。
【０００４】
上記のような事態の発生を防止するため、地震の発生時等の非常時を想定して、上記公園等に多数の公衆トイレを設置するとともに、多数の被災者が使用しても空になることのない大形の給水タンクを設置することも考えられるが、このように構成した場合には、平常時に必要のない過大な設備投資が必要であり、その建設費および維持費が膨大になるという問題がある。
【０００５】
また、地震等が発生した非常時に、上記緊急避難所に簡易トイレを設置して被災者の利用に供することも考えられているが、上記非常時には、道路が遮断され、かつ現場も混乱しているため、上記簡易トイレの搬入および設置が困難であるとともに、上記非常事態が解消した後に、簡易トイレを撤去する際に貯まった汚水等の処理作業が煩雑であるという問題がある。
【０００６】
本発明は、上記の点に鑑みてなされたものであり、過大な設備投資等を必要とすることなく、地震または大火の発生時等に混乱を生じることなく、多数の者が適正に使用することができる非常用トイレ施設および非常用トイレ施設の貯留槽を提供することを目的としている。
【０００７】
【課題を解決するための手段】
請求項１に係る発明は、水洗トイレからの排水を浄化する排水浄化槽と、非常時に水洗トイレの排水を非常用排水貯留槽に導出する排水導出手段と、この排水導出手段を介して導出された排水を貯留する非常用排水貯留槽と、この非常用排水貯留槽に貯留された排水を、上記排水浄化槽の処理能力に対応した流量で供給する排水供給手段とを備え、上記非常用排水貯留槽の上壁部に、マンホールと非常用トイレの設置部とを設け、この非常用トイレの排水を上記マンホールから非常用排水貯留槽に導入するように構成したものである。
【０００８】
上記構成によれば、地震または大火等が発生した非常時には、水洗トイレからの排水が上記排水導出手段により非常用排水貯留槽に導出されて貯留されるため、多数の被災住民等が上記水洗トイレを使用して上記排水浄化槽の浄化処理能力を超える多量の排水が排出された場合においても、この排水浄化槽がオーバフローすることが防止されるとともに、上記非常用排水貯留槽に貯留された汚水が順次上記汚水浄化槽に供給されて浄化処理されることになる。また、上記非常用排水貯留槽の上壁部上において、非常用トイレを組み立てて上記マンホールを覆うように設置することにより、非常時に被災者等が使用する非常用トイレの増設が容易に行われるとともに、この非常用トイレの排水が上記マンホールを介して非常用排水貯留槽内に直接導入されることにより貯留されることになる。
【０００９】
請求項２に係る発明は、上記請求項１に記載の非常用トイレ施設において、非常用発電機と、この非常用発電機を駆動するエンジンと、このエンジンの冷却水を供給するラジエータとを備え、上記エンジンにより非常用発電機を駆動することにより得られた電力をトイレ用の電気機器に供給するとともに、上記ラジエータによって回収された熱エネルギーを、トイレ用の暖房機器に供給するように構成したものである。
【００１０】
上記構成によれば、地震および大火等の災害時または音楽会および運動会等の開催時等に、上記エンジンにより非常用発電機を駆動することによって得られた電力を、上記トイレ施設に設けられた照明具、ポンプ、または制御部等からなる電気機器に供給するとともに、上記ラジエータによって回収された熱エネルギーを、上記トイレ施設に設けられた暖房機器等に供給することにより、ライフラインが復旧するまでの間における緊急避難所における生活環境を維持することが可能となる。
【００１１】
請求項３に係る発明は、上記請求項１記載の非常用トイレ施設において、複数のプレストレスコンクリート部材を施工現場において組み立てることにより底壁部と側壁部と上壁部とを有する排水浄化槽、浄化水貯留槽または非常用排水貯留槽を構成したものである。
【００１２】
上記構成によれば、製造工場において製造されたプレストレスコンクリート材が施工現場に搬入されて組み立てられることにより、優れた水密性および耐久性等を有する排水浄化槽、浄化水貯留槽または非常用排水貯留槽が容易かつ適正に形成されることになる。
【００１３】
請求項４に係る発明は、上記請求項３記載の非常用トイレ施設において、底壁とその左右に立設された起立壁とを有する断面コ字状のプレストレスコンクリート部材の起立壁を相対向させるように複数のプレストレスコンクリート部材を所定間隔おいて並列に設置するとともに、相隣接するプレストレスコンクリート部材の間の底面部に、底壁部となるコンクリート材を打設することにより相隣接するプレストレスコンクリート部材を互いに連結してなる排水浄化槽、浄化水貯留槽または非常用排水貯留槽を構成したものである。
【００１４】
上記構成によれば、製造工場において製造された断面コ字状のプレストレスコンクリート部材が施工現場に搬入され、この施工現場において、複数個のプレストレスコンクリート部材が所定間隔で配設されるとともに、相隣接するプレストレスコンクリート部材の間の底面部に、コンクリート材が打設されて相隣接するプレストレスコンクリート部材が互いに連結されることにより、上記起立壁によって内部が複数の貯留室に区画されるとともに補強された排水浄化槽、浄化水貯留槽または非常用排水貯留槽が容易に形成されることになる。
【００１５】
【発明の実施の形態】
図１は、本発明の実施形態に係る非常用トイレ施設を有する公園を示している。この公園には、地震または大火等が発生した非常時に、避難施設または災害対策本部等として利用される博物館、図書館、武道館、美術館または資料館等からなる公共建築物１と、所定の位置に配設されたトイレ施設２と、テニスコートおよび非常時用ヘリポート等を有する広場３とが設けられ、この広場３の下方には、備蓄倉庫または雨水貯留槽等からなる地下備蓄施設（図示せず）が配設され、かつ上記公共建築物１にも備蓄倉庫等が設けられている。
【００１６】
上記トイレ施設２は、図２に示すように、地上に立設されて公衆トイレとして使用される水洗トイレ５と、地下に埋設された排水浄化槽６、浄化水貯留槽７および非常用排水貯留槽８とを有している。また、上記水洗トイレ５には、便器９と、この便器９に洗浄水を供給する給水タンク１０と、水道を有する手洗い部１１とが設けられている。
【００１７】
そして、通常時には、公衆トイレとして使用される上記水洗トイレ５の便器９および手洗い部１１等から導出された排水は、排水供給管１２からなる排水供給手段を介して上記排水浄化槽６に供給され、この排水浄化槽６において浄化されるように構成されている。上記排水浄化槽６によって浄化された浄化水は、浄化水導出管３０を介して浄化水貯留槽７に導出され、この浄化水貯留槽７において上記浄化水が貯留される。
【００１８】
また、地震等が発生した非常時には、上記水洗トイレ５が被災者によって使用され、その排水が排水導出手段１４を介して上記非常用排水貯留槽８に導出され、この非常用排水貯留槽８に上記排水が一時的に貯留されようになっている。すなわち、上記排水導出手段１４は、排水供給管１２と非常用排水貯留槽８とを接続する排水導出管１５と、この排水導出管１５に設置された開閉バルブ１６とを有し、上記非常時に、上記排水導出管１５の接続部の下流側において上記排水供給管１２に設けられた開閉バルブ１７を閉止状態とするとともに、上記開閉バルブ１６を開放状態とすることにより、上記水洗トイレ５の排水を上記非常用排水貯留槽８に導出するように構成されている。
【００１９】
上記非常用排水貯留槽８に貯留された排水は、この非常用排水貯留槽８と上記排水浄化槽６とを接続する排水供給管１８と、流量調節弁または吸水ポンプ１９等からなる流量調節手段とを有する排水供給手段２０を介して、上記排水浄化槽６の処理能力に対応した流量で、この排水浄化槽６に順次供給されて浄化されるようになっている。
【００２０】
上記排水浄化槽６は、上記水洗トイレ５または非常用排水貯留槽８から供給された排水中の汚物を沈殿させて分離する第１沈殿分離処理室２１と、この第１沈殿分離処理室２１から導出された上澄み液中の汚物を沈殿させて分離する第２沈殿分離処理室２２と、この第２沈殿分離処理室２２から導出された上澄み液を図外のブロア等から供給された空気に接触させてばっ気処理する第１ばっ気処理室２３と、この第１ばっ気処理室２３から導出された上澄み液を同様にしてばっ気処理する第２ばっ気処理室２４と、この第２ばっ気処理室２４から導出された上澄み液中の不純物を沈殿させる沈殿処理室２５とを有している。
【００２１】
また、上記排水浄化槽６には、沈殿処理室２５から導出された上澄み液をカキ殻等からなる濾過材に接触させて不純物を除去する第１濾過室２６と、この第１濾過室２６から導出された上澄み液をカキ殻等からなる濾過材に接触させて不純物を除去する第２濾過室２７と、この第２濾過室２７から導出された上澄み液中の不純物を、沈殿させて分離するとともに活性炭等の濾過材によって除去することにより、上記排水を最終的に浄化する沈殿濾過処理室２８と、この沈殿濾過処理室２８から導出された浄化水を貯留する貯留室２９と、この貯留室２９内の浄化水を上記浄化水貯留槽７に導出する浄化水導出管３０からなる浄化水導出手段とが設けられている。
【００２２】
なお、上記排水浄化槽６の具体的構成は、上記実施形態に限定されることなく種々の変更が可能であり、上記各処理室の個数および配置等を変化させ、あるいは従来周知の排水処理室等を有する排水浄化槽を使用可能である。
【００２３】
上記浄化水貯留槽７は、排水浄化槽６の貯留室２９から浄化水導出管（浄化水導出手段）３０を介して導出された浄化水を貯留するものであり、この浄化水が、後述する非常用給水手段の利用に供されるように構成されている。すなわち、上記浄化水貯留槽７に貯留された浄化水は、必要に応じて非常用水導出管３１および液体ポンプ等を有する非常用水導出手段を介して、非常用トイレの給水タンク４７等の非常用給水手段に供給されるようになっている。なお、通常時には、上記浄化水貯留槽７内に貯留された浄化水が、上記水洗トイレ５の給水タンク１０等に供給されることにより水洗トイレ５の洗浄水として利用される。
【００２４】
上記浄化水貯留槽７は、図３に示すように、製造工場で製造された平板状のプレストレスコンクリート部材３３〜３５を、施工現場において組み立てることにより形成され、地下に埋設された状態で設置される。具体的には、底壁部を構成する３枚のプレストレスコンクリート部材３３と、周壁部を構成する４枚のプレストレスコンクリート部材３４とを固着ボルト等からなる固着具で固着するとともに、その上端部に３枚のプレストレスコンクリート部材３５を設置して固着ボルト等からなる固着具で固着することにより、密閉容器状の浄化水貯留槽７が構成されるようになっている。
【００２５】
また、上記非常用排水貯留槽８は、図４および図５に示すように、底壁３６とその左右に立設された起立壁３７とを有する断面コ字状のプレストレスコンクリート部材３８と、その両端開口部を閉塞するように設置されて側壁部を構成する平板状のプレストレスコンクリート部材３９と、上壁部を構成する平板状プレストレスコンクリート部材４０とを組み合わせるとともに、一対のプレストレスコンクリート部材３８を並列に設置して、その間の底面部にコンクリート材４１を打設することにより形成される。
【００２６】
すなわち、非常用排水貯留槽８の施工現場において、上記起立壁３７を相対向させるように一対のプレストレスコンクリート部材３８を所定間隔おいて並列に設置した後、その間の底面部にコンクリート材４１を打設し、このコンクリート材４１により、上記両プレストレスコンクリート部材３８を互いに連結するとともに、上記貯留槽８の底壁の一部を構成する。
【００２７】
そして、上記両プレストレスコンクリート部材３８の両端開口部をそれぞれ閉塞するように、前後一対のプレストレスコンクリート部材３９を設置して固着ボルト等からなる固着具で固着するとともに、上端部に３枚のプレストレスコンクリート部材４０を設置して固着ボルト等からなる固着具で固着することにより、上記起立壁３７によって内部が複数の貯留室に区画された非常用排水貯留槽８が形成されることになる。また、上記両プレストレスコンクリート部材３８の相対向する起立壁３７には、相隣接する貯留室を互いに連通させる連通孔４９が形成され形成されている。
【００２８】
上記非常用排水貯留槽８の上壁部を構成するプレストレスコンクリート部材４０には、それぞれ蓋４３によって閉塞される複数個のマンホール４２が形成されている。また、上壁部用の上記プレストレスコンクリート部材４０には、備蓄倉庫等に格納された組立式の非常用トイレを設置するための係止ボルト４４が立設されている。この係止ボルト４４は、通常時にキャップ４５により覆われることにより保護されている。
【００２９】
そして、地震の発生時等に、非常用トイレを設置する必要が生じた場合には、図６に示すように、上記係止ボルト４４を利用してトイレ用壁板４６等を固定するとともに、上記マンホール４２の蓋４３を取り外して、その上方に便器４６を設置することにより、簡易トイレからなる非常用トイレ４８が組み立てられることになる。また、上記便器４６内の汚物を除去するための洗浄水を供給する給水タンク４７を所定の位置に設置するとともに、予め地中に埋設された非常用水導出管３１と、上記給水タンク４７とを連結管５０によって連結することにより、上記浄化水貯留槽７内の浄化水が給水タンク４７に供給されるようになっている。
【００３０】
上記構成において、通常時には、排水供給管１２に設けられた開閉バルブ１７を開放状態とするとともに、上記排水導出手段１４の排水導出管１５に設けられた開閉バルブ１６を閉止状態とすることにより、上記水洗トイレ５の排水が排水供給管１２を介して排水浄化槽６に供給される。この排水浄化槽６に設けられた上記第１沈殿分離処理室２１、第２沈殿分離処理室２２、第１ばっ気処理室２３、第２ばっ気処理室２４、沈殿処理室２５、第１濾過室２６、第２濾過室２７および沈殿濾過処理室２８を、上記排水が通過する際に、この排水中の汚物および不純物が順次除去されることにより、浄化水となって貯留室２９内に一時的に貯留される。
【００３１】
上記貯留室２９内の浄化水は、上記浄化水導出管３０からなる浄化水導出手段を介して浄化水貯留槽７に順次導出されることにより、この浄化水貯留槽７内において貯留される。上記浄化水貯留槽７内に貯留された浄化水は、上記水洗トイレ５の給水タンク１０に導出されることにより、水洗トイレ５の洗浄水として利用され、かつ必要に応じて植木、芝生あるいは噴水等の用水として供給される。なお、上記浄化水貯留槽７内に貯留された浄化水が過多となることに起因して、この浄化水貯留槽７がオーバフローするのを防止するためには、所定の位置に放水し得るように構成することが望ましい。
【００３２】
また、地震等の災害が発生して上記トイレ施設２が設置された公園等が緊急避難所として使用される非常時には、排水供給管１２に設けられた開閉バルブ１７を閉止状態とするとともに、上記排水導出手段１４に設けられた開閉バルブ１６を開放状態とすることにより、この排水導出手段１４を介して上記水洗トイレ５の排水が上記非常用排水貯留槽８に導出され、この非常用排水貯留槽８内に貯留される。さらに、上記非常用排水貯留槽８上の所定位置に非常用トイレ４８が設置され、この非常用トイレ４８の排水が上記マンホール４２から非常用排水貯留槽８内に直接導入されて貯留される。
【００３３】
上記非常用排水貯留槽８内に貯留された排水は、例えば上記排水供給手段２０に設けられたポンプ１９の流量を上記排水浄化槽６の処理能力に対応した値に設定することにより、上記処理能力に対応した流量で排水浄化槽６に順次供給される。なお、上記排水供給手段２０に設けられた開閉弁を間欠的に開閉する等により、非常用排水貯留槽８内に貯留された排水の流量を、上記排水浄化槽６の処理能力に対応した値に設定するようにしてもよい。
【００３４】
そして、上記排水浄化槽６において上記排水が浄化された後、上記浄化水導出管３０からなる浄化水導出手段を介して浄化水貯留槽７に順次導出され、この浄化水貯留槽７内において上記浄化水が貯留される。
【００３５】
上記浄化水貯留槽７内に貯留された浄化水は、非常用水導出管３１からなる非常用水供給手段を介して上記水洗トイレ５の給水タンク１０および非常用トイレ４８の給水タンク４７からなる非常用給水手段に導出されることにより、トイレの洗浄水として利用される。また、上記浄化水貯留槽７内の清浄水を、消化ポンプまたはスプリンクラー等の非常用給水手段に導出することにより、消火用水として利用することも可能である。
【００３６】
このように水洗トイレ５からの排水を浄化する排水浄化槽６と、非常時に水洗トイレ５の排水を非常用排水貯留槽８に導出する排水導出手段１４と、この排水導出手段１４を介して導出された排水を貯留する非常用排水貯留槽８と、この非常用排水貯留槽８に貯留された排水を、上記排水浄化槽６の処理能力に対応した流量で供給する排水供給手段２０とを設けたため、地震または大火等が発生した非常時に、多数の被災住民等が上記水洗トイレ５を使用して上記排水浄化槽６の浄化処理能力を超える多量の排水が排出された場合においても、この排水浄化槽６がオーバフローするのを防止することができる。
【００３７】
そして、上記排水浄化槽６の処理能力に対応した流量の排水を、上記排水供給手段２０を介して非常用排水貯留槽８から排水浄化槽６に供給することにより、この排水浄化槽６において上記排水を適正に浄化することができるため、この浄化水を上記水洗トイレ５の給水タンク１０に供給する等により再利用できるという利点がある。
【００３８】
なお、上記トイレ施設２が多数の被災者によって長期間に亘り使用された場合には、上記非常用排水貯留槽８の容量を十分に確保した場合においても、この非常用排水貯留槽８がオーバフローする可能性があるが、この時点では、交通状態が改善されるとともに、現場の混乱も、ある程度収まっていると考えられるため、上記非常用排水貯留槽８内の排水を汲み取る等の応急処理することにより、上記非常用排水貯留槽８がオーバフローするのを防止することができる。言い換えれば、地震等の災害が発生して上記トイレ施設２が設置された公園等が緊急避難所として使用された場合に、この緊急避難所に収容される被災者の人数と、上記応急処理が可能となるまでの日数とに基づき、非常用排水貯留槽８の容量を算出し、この容量に適合した非常用排水貯留槽８を予め設けておけば、混乱を生じることなく、常に上記トイレ施設２を清潔に使用することができる。
【００３９】
また、上記のように非常用排水貯留槽８の上壁部に、マンホール４２と非常用トイレ４８の設置部とを設け、この非常用トイレ４８の排水を上記マンホール４２から非常用排水貯留槽８に導入するように構成したため、備蓄倉庫等に収容された簡易な非常用トイレ４８を組み立て、上記マンホール４２を覆うように設置することにより、非常時に被災者等が使用する非常用トイレ４８の増設を容易に行うことができる。
【００４０】
しかも、上記マンホール４２を介して上記非常用排水貯留槽８内に導入された非常用トイレ４８の排水は、上記排水浄化槽６に順次供給されて浄化されることになるため、非常用トイレ４８の解体時に、汚水を処理する等の煩雑な作業が不要であり、上記解体作業を容易に行うことができるという利点がある。なお、上記非常用トイレ４８は、給水タンク４７を有する水洗トイレに限られず、いわゆる汲み取り式のトイレを使用してよい。この汲み取り式の非常用トイレを設置した場合には、非常用トイレから排出される汚水の量を少なくすることができるため、上記非常用排水貯留槽８がオーバフローするのを、さらに効果的に防止できるという利点がある。
【００４１】
特に、上記実施形態に示すように、非常用排水貯留槽８の上壁部を構成する上記プレストレスコンクリート部材４０の所定位置に、非常用トイレ４８の周壁部等を固定するための上記係止ボルト４４を立設した場合には、上記周壁部の下端部内面等に設けられたブラケットの係止孔に、上記係止ボルト４４を挿通させた状態で、この係止ボルト４４にナットを螺着する等により、上記周壁部等を容易かつ適正に固定できるという利点がある。
【００４２】
また、上記のように水洗トイレ５からの排水を浄化する排水浄化槽６と、この排水浄化槽６によって浄化された浄化水を浄化水貯留槽７に導出する浄化水導出管３０からなる浄化水導出手段と、この浄化水導出手段を介して導出された浄化水を貯留する浄化水貯留槽７と、非常用トイレ４８の給水タンク４７等からなる非常用給水手段と、この非常用給水手段に上記浄化水貯留槽７内の浄化水を導出する非常用水導出管３１からなる非常用水導出手段とを設けた構成によれば、地震または大火等が発生した非常時に、上記浄化水貯留槽７内に貯留された浄化水を有効に利用できるという利点がある。
【００４３】
すなわち、通常時に上記排水浄化槽６において生成され、上記浄化水貯留槽７において貯留された浄化水を、水洗トイレ５の給水タンク１０および非常用トイレ４８の給水タンク４７等からなる非常用給水手段に供給してトイレの洗浄水等として利用することにより、上記地震等の発生時に、水道等のライフラインが遮断された場合においても、水洗トイレの使用が可能であるため、トイレの使用環境を衛生的に維持することができる。さらに、上記浄化水貯留槽７内の浄化水を、消化ポンプまたはスプリンクラー等からなる非常用給水手段に導出して消火用水として利用するように構成した場合には、消火活動に役立てることができるという利点がある。
【００４４】
また、上記実施形態では、図３に示すように、工場生産された複数のプレストレスコンクリート部材３３〜３５を、施工現場において組み立てることにより底壁部と側壁部と上壁部とを有する浄化水貯留槽７等からなる貯留槽を形成するように構成したため、施工現場に枠板を設置してコンクリート材を打設する等により上記貯留槽を形成する場合に比べて、貯留槽を容易に形成できるという利点がある。しかも、上記プレストレスコンクリート部材３３〜３５は、優れた水密性および耐久性等を有しているため、地震等の災害時においても水密性が損なわれる等の問題を生じることなく、上記プレストレスコンクリート部材３３〜３５によって構成された貯留槽を長期間に亘り安定して使用することができる。
【００４５】
特に、図４および図５に示すように、底壁３６とその左右に立設された起立壁３７とを有する断面コ字状のプレストレスコンクリート部材３８を設け、上記起立壁３７を相対向させるように複数のプレストレスコンクリート部材３８を所定間隔おいて並列に設置するとともに、両プレストレスコンクリート部材３８の間の底面部に、貯留槽の底壁部の一部となるコンクリート材４１を打設することにより相隣接するプレストレスコンクリート部材３８を互いに連結するように構成した場合には、上記起立壁３７によって内部が複数の貯留室に区画されるとともに、この起立壁３７によって補強された非常用排水貯留槽８を施工現場において容易に形成することができる。また、上記起立壁３７に形成された連通孔４９を閉塞し、あるいは省略することにより、貯留槽の内部を上記起立壁３７によって完全に区画することも可能である。
【００４６】
なお、上記断面コ字状の部材からなるプレストレスコンクリート部材３８の個数は、二個に限られず、三個以上であってもよい。また、非常時にトイレの排水を貯留する上記非常用排水貯留槽８を、図３に示すように、複数枚のプレストレスコンクリート部材３３〜３５によって構成し、あるいは排水浄化槽６から導出された浄水を貯留する上記浄化水貯留槽７を、図４および図５に示すように、断面コ字状のプレストレスコンクリート部材３８等によって形成するようにしてもよい。さらに、上記排水浄化槽６を、複数枚のプレストレスコンクリート部材３３〜３５または断面コ字状のプレストレスコンクリート部材３８等によって形成するように構成してもよい。
【００４７】
また、上記プレストレスコンクリート部材３３〜３５，３８〜４０を使用して上記浄化水貯留槽７および非常用排水貯留槽８等を形成するように構成した上記実施形態に代え、プレキャストコンクリート材、鋼板材またはプラスチック材等によって上記浄化水貯留槽７および非常用排水貯留槽８等を形成するようにしてもよい。さらに、上記排水浄化槽６、浄化水貯留槽７および非常用排水貯留槽８は、必ずしも地下に埋設する必要はなく、地上に立設した構造としてもよい。
【００４８】
上記非常用トイレ施設２は、地震または大火等の災害時に限られず、上記公園等を、音楽会または運動会等の各種イベント会場として使用し、通常時に比べ、極めて多くの者がトイレを使用することがある非常時においても、適正に利用することができる。
【００４９】
また、図７に示すように、燃料タンク５１に貯留された天然ガスまたはプロパンガス等を燃料として駆動されるロータリエンジン５２と、このロータリエンジン５２によって駆動される非常用発電機５３と、上記ロータリエンジン５２に冷却水を供給するラジエータ５４とを備えた非常用発電施設５５を上記非常用トイレ施設２に設けた構造としてもよい。
【００５０】
上記構成によれば、地震および大火等の災害時または音楽会および運動会等の開催時等に、上記ロータリエンジン５２により非常用発電機５３を駆動することによって得られた電力を、上記トイレ施設２等に設けられた照明具、ポンプ、または制御部等からなる電気機器５６に供給するとともに、上記ラジエータ５４によって回収された熱エネルギーを、上記トイレ施設２に設けられた暖房機器５７等に供給することにより、ライフラインが復旧するまでの間における緊急避難所における生活環境を維持することができるという利点がある。
【００５１】
特に、上記実施形態に示すように、非常用発電機５３の駆動源としてロータリエンジンを使用した場合には、発電出力および排出熱エネルギーの回収率が高いとともに、小型化が可能であるため、非常用発電施設の設置スペースを小さくできる等の利点がある。なお、上記非常用発電機５３の駆動減としてロータリエンジン５２に代えて通常のレシプロエンジンを使用することも可能である。また、上記ロータリエンジン５２等の排気ガスが有する熱エネルギーをラジエータ５４において回収し、この熱エネルギーを緊急避難所等に設けられた給湯設備５８または上記トイレ施設２の暖房機器５７等に供給するように構成してもよい。
【００５２】
【発明の効果】
以上説明したように、本発明は、水洗トイレからの排水を浄化する排水浄化槽と、非常時に水洗トイレの排水を非常用排水貯留槽に導出する排水導出手段と、この排水導出手段を介して導出された排水を貯留する非常用排水貯留槽と、この非常用排水貯留槽に貯留された排水を、上記排水浄化槽の処理能力に対応した流量で供給する排水供給手段とを備え、上記非常用排水貯留槽の上壁部に、マンホールと非常用トイレの設置部とを設け、この非常用トイレの排水を上記マンホールから非常用排水貯留槽に導入するように構成したため、水洗トイレからの排水を浄化する排水浄化槽と、非常時に水洗トイレの排水を非常用排水貯留槽に導出する排水導出手段と、この排水導出手段を介して導出された排水を貯留する非常用排水貯留槽と、この非常用排水貯留槽に貯留された排水を、上記排水浄化槽の処理能力に対応した流量で供給する排水供給手段とを設けたため、地震または大火等が発生した非常時に、多数の被災住民等が上記水洗トイレを使用して上記排水浄化槽の浄化処理能力を超える多量の排水が排出された場合においても、この排水浄化槽がオーバフローするのを防止し、上記排水を排水浄化槽において適正に処理することができるという利点がある。
【図面の簡単な説明】
【図１】  本発明に係るトイレ施設が設置される公園の具体例を示す斜視図である。
【図２】  本発明に係るトイレ施設の実施形態を示す説明図である。
【図３】  図１のIII−III線断面図である。
【図４】  図１のIV−IV線断面図である。
【図５】  非常用排水貯留槽の具体的構成を示す分解斜視図である。
【図６】  非常用トイレの設置状態を示す断面図である。
【図７】  非常用発電施設の具体的構成を示すブロック図である。
【符号の説明】
５  水洗トイレ
６  排水浄化槽
７  浄化水貯留槽
８  非常用排水貯留槽
２０  排水供給手段
３０  浄化水導出管（浄化水導出手段）
３１  非常用水導出管（非常用水導出手段）
３３〜３５  プレストレスコンクリート部材
３６  底壁
３７  起立壁
３８  断面コ字状のプレストレスコンクリート部材
４１  コンクリート材
４２  マンホール
４７  非常用トイレの給水タンク（非常用給水手段）
４８  非常用トイレ
５２  ロータリエンジン
５３  非常用発電機
５４  ラジエータ
５６  電気機器
５７  暖房機器
【図１】
0003965281.tif 000002
【図２】
0003965281.tif 000003
【図３】
0003965281.tif 000004
【図４】
0003965281.tif 000005
【図５】
0003965281.tif 000006
【図６】
0003965281.tif 000007
【図７】
0003965281.tif 000008